(57)【要約】【課題】利用者の満足度を高めることができるように、暗号化されたコンテンツ情報を放送により送信する情報送信装置を提供すること。【解決手段】全部、又は部分的に暗号化されたコンテンツ情報を放送により情報受信装置１１へ送信する情報送信装置１であって、暗号化されたコンテンツ情報の異なる２種以上の再生形態に関する情報を放送信号に重畳して送信する手段を装備する。【選択図】  図１
2004194140.tif 000002
【特許請求の範囲】
【請求項１】
全部、又は部分的に暗号化されたコンテンツ情報を放送により情報受信装置へ送信する情報送信装置であって、
暗号化されたコンテンツ情報の異なる２種以上の再生形態に関する情報を放送信号に重畳して送信する第１の送信手段を備えていることを特徴とする情報送信装置。
【請求項２】
前記異なる２種以上の再生形態にランクが付されていることを特徴とする請求項１記載の情報送信装置。
【請求項３】
全部、又は部分的に暗号化されたコンテンツ情報を放送により情報受信装置へ送信する情報送信装置であって、
コンテンツ再生形態の差別化を図るために、前記コンテンツ情報を分割したものにランクが付されていることを特徴とする情報送信装置。
【請求項４】
前記情報受信装置固有のＩＤコードが付加された情報を放送信号に重畳して送信する第２の送信手段を備え、
前記情報には利用者のランクなどの個別情報が含まれていることを特徴とする請求項２又は請求項３記載の情報送信装置。
【請求項５】
コンテンツのジャンルを示す情報を放送信号に重畳して送信する第３の送信手段を備えていることを特徴とする請求項１〜４のいずれかの項に記載の情報送信装置。
【請求項６】
請求項１又は請求項２記載の情報送信装置から送信されてくる情報を受信する情報受信装置であって、
前記異なる２種以上の再生形態に関する情報、及び利用者のコンテンツ利用条件に基づいて、前記情報送信装置から送信されてくる暗号化されたコンテンツ情報の再生を制御する第１の制御手段を備えていることを特徴とする情報受信装置。
【請求項７】
請求項３記載の情報送信装置から送信されてくる情報を受信する情報受信装置であって、
前記コンテンツ情報を分割したものに付されたランク、及び利用者のコンテンツ利用条件に基づいて、前記情報送信装置から送信されてくる暗号化されたコンテンツ情報の再生を制御する第２の制御手段を備えていることを特徴とする情報受信装置。
【請求項８】
情報送信装置から送信されてくる全部、又は部分的に暗号化されたコンテンツ情報を記憶する記憶手段と、
コンテンツ情報を再生するために、復号鍵を用いて暗号化されたコンテンツ情報を復号化するなどして再生する再生手段と、
コンテンツ情報の再生状況に基づいて、コンテンツ視聴などの再生の可否を判定する可否判定手段と、
該可否判定手段により再生は否であると判定されると、復号化に必要となる情報を使用不可にする第３の制御手段とを備えていることを特徴とする情報受信装置。
【請求項９】
前記復号化に必要となる情報が、復号鍵、及び／又は復号プログラムであることを特徴とする請求項８記載の情報受信装置。
【請求項１０】
前記第３の制御手段が、前記復号化に必要となる情報を削除することによって、前記情報を使用不可とするものであることを特徴とする請求項８又は請求項９記載の情報受信装置。
【請求項１１】
前記可否判定手段が、コンテンツ情報の再生状況に基づいて、再生限度を超えている場合に再生否と判定するものであり、
前記再生限度が、利用者毎に設定されるものであることを特徴とする請求項８〜１０のいずれかの項に記載の情報受信装置。
【請求項１２】
全部、又は部分的に暗号化されたコンテンツ情報を放送により情報受信装置へ送信するための情報送信方法であって、
暗号化されたコンテンツ情報の異なる２種以上の再生形態に関する情報を放送信号に重畳して送信するステップを有していることを特徴とする情報送信方法。
【請求項１３】
前記異なる２種以上の再生形態にランクを付していることを特徴とする請求項１２記載の情報送信方法。
【請求項１４】
全部、又は部分的に暗号化されたコンテンツ情報を放送により情報受信装置へ送信する情報送信方法であって、
コンテンツ再生形態の差別化を図るために、前記コンテンツ情報を分割したものにランクを付していることを特徴とする情報送信方法。
【請求項１５】
前記情報受信装置固有のＩＤコードが付加された情報を放送信号に重畳して送信するステップを有し、
前記情報には利用者のランクなどの個別情報を含めていることを特徴とする請求項１３又は請求項１４記載の情報送信方法。
【発明の詳細な説明】
【０００１】
【発明の属する技術分野】
本発明は情報送信装置、情報受信装置、及び情報送信方法に関し、より詳細には、暗号化されたコンテンツ情報を放送により送信する情報送信装置、該情報送信装置から送信されてくる情報を受信する情報受信装置、及び情報送信方法に関する。
【０００２】
【従来の技術】
最近、インターネットなどの公衆網を使って音楽データなど、各種コンテンツ情報を配信するサービスが普及しつつあるが、このようなサービスの重大な問題点は、情報をダウンロードするのに長い時間を要することがあることである。特に、走行中の車両内で前記サービスを受ける場合には、通信エラーの生じる可能性が高いため、過度に長い時間を要することがしばしばある。
【０００３】
ところで、従来より人工衛星を用いて各種コンテンツ情報を放送により配信しようとするサービスがある。ディジタル放送の場合、データ専用のチャンネルが用意されるので、大容量・高速のデータ放送ができる。従って、ディジタル放送により各種コンテンツ情報を送信することは非常に有効である。
【０００４】
しかしながら、放送によりそのまま情報を流したのでは、情報が無料で利用されてしまうこととなる。そこで、情報を有料とするためにコンテンツ情報を暗号化して送信し、利用者に復号鍵を購入してもらうようにしている（有料放送の実現）。
【０００５】
上記したような有料放送に関連する発明は数多く提案されており、例えば、特許文献１には復号鍵をインターネットを通じて取得することが開示され、特許文献２、３にはコンテンツ情報の利用に制限を設けることが開示されている。
【０００６】
【特許文献１】
特開２００１−１１１５０５号公報
【特許文献２】
特開２０００−３４９７２５号公報
【特許文献３】
特開２００１−３３３４１２号公報
【０００７】
【発明が解決しようとする課題】
コンテンツ情報を暗号化し、復号鍵がなければ情報を利用することができないようにすることは、有料放送を実現する上で非常に重要ではあるが、これだけでは利用者の満足度は決して高くないものと思われる。
【０００８】
例えば、ある写真集（全１０枚）を構成する画像データが暗号化されて放送により送信され、利用者側がその画像データを受信した場合、ある利用者は１０枚全ての写真を見たいかもしれないが、別の利用者は３枚くらい、また別の利用者は１枚だけ見たいかもしれない。
【０００９】
また、ある音楽アルバム（全１０曲）に収録されている音楽データが暗号化されて放送により送信され、利用者側がその音楽データを受信した場合、ある利用者は１０曲全ての音楽を聴きたいかもしれないが、別の利用者は３曲くらいだけ、また別の利用者はイントロ部分だけを聴きたいかもしれない。
【００１０】
また、あるＣＤに収録されている程度の高品質の音楽データが暗号化されて放送により送信され、利用者側がその音楽データを受信した場合、ある利用者は高品質であるＣＤ品質レベルで音楽を聞きたいかもしれないが、別の利用者は料金が安くなるなら、ＦＭ品質レベルで構わないかもしれないし、また別の利用者はもっと料金が安くなるなら、ＡＭ品質レベルで構わないかもしれない。
【００１１】
しかしながら、従来の有料放送では、送信されてくるコンテンツ情報の再生形態を変更することはできず、１０枚全ての写真を見ることを選択するか、あるいは写真を全く見ないことを選択するかといった二者択一でしかなく、利用者の満足度が高いとは決して言えなかった。
【００１２】
本発明は上記課題に鑑みなされたものであって、利用者の満足度を高めるための情報送信装置、情報受信装置、及び情報送信方法を提供すること、また、特許文献２、３にも開示されているように、コンテンツ情報の利用に制限を設けることは課金という点からみて非常に重要なことであるため、前記制限をより確実に実現するための情報受信装置を提供することを目的としている。
【００１３】
【課題を解決するための手段及びその効果】
上記目的を達成するために本発明に係る情報送信装置（１）は、全部、又は部分的に暗号化されたコンテンツ情報を放送により情報受信装置へ送信する情報送信装置であって、暗号化されたコンテンツ情報の異なる２種以上の再生形態に関する情報を放送信号に重畳して送信する第１の送信手段を備えていることを特徴としている。
【００１４】
また、本発明に係る情報送信装置（２）は、上記情報送信装置（１）において、前記異なる２種以上の再生形態にランクが付されていることを特徴としている。
【００１５】
上記情報送信装置（１）又は（２）によれば、全部、又は部分的に暗号化されたコンテンツ情報が前記情報受信装置へ送信されるので、前記コンテンツ情報の無料利用を制限することができる。また、前記コンテンツ情報は大容量・高速の送信が可能な放送により行われるため、情報の送信に過度に長い時間を要するのを回避することができる。これにより、走行中の車両内でも前記コンテンツ情報をスムースに利用することができる。
【００１６】
また、暗号化された前記コンテンツ情報の異なる２種以上の再生形態に関する情報が放送信号に重畳して送信される。例えば、前記コンテンツ情報が１０枚の写真画像から構成されている場合、第１の再生形態（Ａランク、料金１００円）として、１０枚全ての画像表示を可能とすることや、第２の再生形態（Ｂランク、料金５０円）として、１０枚のうちの３枚の画像表示を可能とすること、第３の再生形態（Ｃランク、料金２０円）として、１０枚のうちの１枚のみの画像表示を可能とすることを示す情報を、前記異なる２種以上の再生形態に関する情報として放送信号に重畳して送信される。
【００１７】
従って、前記情報受信装置で前記情報に基づいた処理を行うことができるように構成されていれば、利用者はこれら３種の再生形態から好みの再生形態を選択することができる。また、利用者がこれら３種の再生形態のいずれをも選択しないという場合もあるので利用者には合計４つの選択肢があることになる。
このように、利用者の選択肢を増やすことができるため、利用者の満足度を高めることができる。また、サービスを提供する側についても、選択の幅を設け、料金を細かく設定することができるので、売上の増大を図ることができる。
【００１８】
さらに、上記情報送信装置（２）によれば、前記異なる２種以上の再生形態にランクが付されているので、例えば、コンテンツ情報の送信サービスを提供する事業者と利用者との契約で、利用者の利用ランク（ランクによって料金が異なる）を決めておくことによって、利用者の利用可能なコンテンツの差別化を図ることができる。
【００１９】
また、本発明に係る情報送信装置（３）は、全部、又は部分的に暗号化されたコンテンツ情報を放送により情報受信装置へ送信する情報送信装置であって、コンテンツ再生形態の差別化を図るために、前記コンテンツ情報を分割したものにランクが付されていることを特徴としている。
【００２０】
上記情報送信装置（３）によれば、全部、又は部分的に暗号化されたコンテンツ情報が前記情報受信装置へ送信されるので、前記コンテンツ情報の無料利用を制限することができる。また、前記コンテンツ情報は大容量・高速の送信が可能な放送により行われるため、情報の送信に過度に長い時間を要するのを回避することができる。これにより、走行中の車両内でも前記コンテンツ情報をスムースに利用することができる。
【００２１】
また、前記コンテンツ情報を分割したものにランクが付されているため、例えば、前記コンテンツ情報が１０枚の写真画像から構成されている場合、第１枚目の写真画像にはＣランクと付され、第２枚目、第３枚目の写真画像にはＢランク（Ｃランクよりも上位）と付され、第４枚目〜第１０枚目までの写真画像にはＡランク（Ｂランクよりも上位）と付されることとなる。
【００２２】
従って、前記情報受信装置で前記コンテンツ情報を分割したものに付されたランクに基づいた処理を行うことができるように構成されていれば、利用者がＡランクを選択すると、１０枚全ての写真画像を見ることができ、利用者がＢランクを選択すると、第１枚目〜第３枚目までの写真画像を見ることができ、利用者がＣランクを選択すると、第１枚目の写真画像だけを見ることができるといったようにすることができる。
【００２３】
すなわち、利用者はこれら３種の再生形態から好みの再生形態を選択することができる。また、利用者がランクを選択しない場合もあるので利用者には合計４つの選択肢があることになる。
このように、利用者の選択肢を増やすことができるため、利用者の満足度を高めることができる。また、サービスを提供する側についても、選択の幅を設け、料金を細かく設定することができるので、売上増大を図ることができる。
【００２４】
また、本発明に係る情報送信装置（４）は、上記情報送信装置（２）又は（３）において、前記情報受信装置固有のＩＤコードが付加された情報を放送信号に重畳して送信する第２の送信手段を備え、前記情報には利用者のランクなどの個別情報が含まれていることを特徴としている。
【００２５】
ところで、暗号化された前記コンテンツ情報の視聴等の利用を許可する／許可しないといったことを利用者側（すなわち、情報受信装置）へ伝える方法としては、前記情報受信装置が固有に持つＩＤコードを前記コンテンツ情報に付加する／付加しないといった方法が考えられる。例えば、前記情報受信装置では前記コンテンツ情報に自己が固有に持つＩＤコードが含まれている場合、利用が許可されていると判断することができ、逆に、ＩＤコードが含まれない場合、利用が許可されていないと判断することができる。
【００２６】
上記情報送信装置（４）によれば、前記情報受信装置固有のＩＤコードが付加された情報が放送信号に重畳して送信されるため、暗号化された前記コンテンツ情報の視聴等の利用を許可する／許可しないといったことを利用者側へ適切に伝えることができる。
【００２７】
さらに、ＩＤコードが付加された情報には利用者のランクなどの個別情報が含まれているため、各コンテンツ毎に利用者のランクを設定することができる。換言すれば、利用者は前記コンテンツ情報のサービスを提供する事業者と契約するにあたって、コンテンツ毎に細かくランクを設定することができる。
【００２８】
また、本発明に係る情報送信装置（５）は、上記情報送信装置（１）〜（４）のいずれかにおいて、コンテンツのジャンルを示す情報を放送信号に重畳して送信する第３の送信手段を備えていることを特徴としている。
【００２９】
上記情報送信装置（５）によれば、コンテンツのジャンルを示す情報が放送信号に重畳して送信されるため、前記情報受信装置で受信したコンテンツのジャンルを容易に把握することができる。これにより、前記情報受信装置では利用者の所望するジャンルのコンテンツ情報を優先して再生したりすることができるようになる。
【００３０】
また、本発明に係る情報受信装置（１）は、上記情報送信装置（１）又は（２）から送信されてくる情報を受信する情報受信装置であって、前記異なる２種以上の再生形態に関する情報、及び利用者のコンテンツ利用条件に基づいて、前記情報送信装置から送信されてくる暗号化されたコンテンツ情報の再生を制御する第１の制御手段を備えていることを特徴としている。
【００３１】
上記情報受信装置（１）によれば、前記異なる２種以上の再生形態に関する情報、及び利用者のコンテンツ利用条件に基づいて、前記情報送信装置から送信されてくる暗号化されたコンテンツ情報の再生（例えば、暗号化されたコンテンツ情報の復号化など）が行われる。
すなわち、利用者のコンテンツ利用条件に基づいて、暗号化されたコンテンツ情報を利用者それぞれの所望する形態で再生することができるため、利用者の満足度を高めることができる。
【００３２】
また、本発明に係る情報受信装置（２）は、上記情報送信装置（３）から送信されてくる情報を受信する情報受信装置であって、前記コンテンツ情報を分割したものに付されたランク、及び利用者のコンテンツ利用条件に基づいて、前記情報送信装置から送信されてくる暗号化されたコンテンツ情報の再生を制御する第２の制御手段を備えていることを特徴としている。
【００３３】
上記情報受信装置（２）によれば、前記コンテンツ情報を分割したものに付されたランク、及び利用者のコンテンツ利用条件に基づいて、前記情報送信装置から送信されてくる暗号化されたコンテンツ情報の再生（例えば、暗号化されたコンテンツ情報の復号化など）が行われる。
すなわち、利用者のコンテンツ利用条件に基づいて、暗号化されたコンテンツ情報を利用者それぞれの所望する形態で再生することができるため、利用者の満足度を高めることができる。
【００３４】
また、本発明に係る情報受信装置（３）は、情報送信装置から送信されてくる全部、又は部分的に暗号化されたコンテンツ情報を記憶する記憶手段と、コンテンツ情報を再生するために、復号鍵を用いて暗号化されたコンテンツ情報を復号化するなどして再生する再生手段と、コンテンツ情報の再生状況に基づいて、コンテンツ視聴などの再生の可否を判定する可否判定手段と、該可否判定手段により再生は否であると判定されると、復号化に必要となる情報を使用不可にする第３の制御手段とを備えていることを特徴としている。
【００３５】
また、本発明に係る情報受信装置（４）は、上記情報受信装置（３）において、前記復号化に必要となる情報が、復号鍵、及び／又は復号プログラムであることを特徴としている。
【００３６】
上記情報受信装置（３）又は（４）によれば、コンテンツ情報の再生状況（例えば、再生回数）に基づいて、コンテンツ視聴などの再生は否である（例えば、再生回数が所定の回数を超えた）と判定されると、復号化に必要となる情報が使用不可とされる。これにより、前記コンテンツ情報の利用の制限を行うことができる。
なお、復号化に必要となる情報としては、復号鍵や復号プログラムなどが挙げられ、これら情報の使用を不可とすることによって、コンテンツ情報の利用の制限を確実に行うことができる。
【００３７】
また、本発明に係る情報受信装置（５）は、上記情報受信装置（３）又は（４）において、前記第３の制御手段が、前記復号化に必要となる情報を削除することによって、前記情報を使用不可とするものであることを特徴としている。
【００３８】
上記情報受信装置（５）によれば、コンテンツ視聴などの再生が否であると判定されると、復号化に必要となる情報（例えば、復号鍵や復号プログラム）が削除される。これにより、前記コンテンツ情報の利用を禁止したい場合には、その禁止を確実に行うことができる。
【００３９】
また、本発明に係る情報受信装置（６）は、上記情報受信装置（３）〜（５）のいずれかにおいて、前記可否判定手段が、コンテンツ情報の再生状況に基づいて、再生限度を超えている場合に再生否と判定するものであり、前記再生限度が、利用者毎に設定されるものであることを特徴としている。
【００４０】
上記情報受信装置（６）によれば、コンテンツ情報の再生限度が利用者全員に対し、一律に設定されるのではなく、利用者毎に設定されるため、利用者個々の差別化を図ることができる。例えば、利用料金１０００円で契約した利用者には１０回の視聴を許可し、利用料金５００円で契約した利用者には２回の視聴を許可し、利用料金３００円で契約した利用者には１回の視聴を許可するといった差別化を図ることができる。これにより、利用者の利用満足度を高めることができる。
【００４１】
また、本発明に係る情報送信方法（１）は、全部、又は部分的に暗号化されたコンテンツ情報を放送により情報受信装置へ送信するための情報送信方法であって、暗号化されたコンテンツ情報の異なる２種以上の再生形態に関する情報を放送信号に重畳して送信するステップを有していることを特徴としている。
【００４２】
また、本発明に係る情報送信方法（２）は、上記情報送信方法（１）において、前記異なる２種以上の再生形態にランクを付していることを特徴としている。
【００４３】
上記情報送信方法（１）又は（２）によれば、全部、又は部分的に暗号化されたコンテンツ情報を前記情報受信装置へ送信するので、前記コンテンツ情報の無料利用を制限することができる。また、前記コンテンツ情報を大容量・高速の送信が可能な放送により行うため、情報の送信に過度に長い時間を要するのを回避することができる。これにより、走行中の車両内でも前記コンテンツ情報をスムースに利用することができる。
【００４４】
また、前記情報受信装置での暗号化された前記コンテンツ情報の異なる２種以上の再生形態に関する情報を放送信号に重畳して送信するようになっている。例えば、前記コンテンツ情報が１０枚の写真画像から構成されている場合、第１の再生形態（Ａランク、料金１００円）として、１０枚全ての画像表示を可能とすることや、第２の再生形態（Ｂランク、料金５０円）として、１０枚のうちの３枚の画像表示を可能とすること、第３の再生形態（Ｃランク、料金２０円）として、１０枚のうちの１枚のみの画像表示を可能とすることを示す情報を、前記異なる２種以上の再生形態に関する情報として放送信号に重畳して送信するようになっている。
【００４５】
従って、前記情報受信装置で前記情報に基づいた処理を行うことができるように構成されていれば、利用者はこれら３種の再生形態から好みの再生形態を選択することができる。また、利用者がこれら３種の再生形態のいずれをも選択しない場合もあるので利用者には合計４つの選択肢があることになる。
このように、利用者の選択肢を増やすことができるため、利用者の満足度を高めることができる。また、サービスを提供する側についても、選択の幅を設け、料金を細かく設定することができるので、売上の増大を図ることができる。
【００４６】
さらに、上記情報送信方法（２）によれば、前記異なる２種以上の再生形態にランクを付しているので、例えば、コンテンツ情報の送信サービスを提供する事業者と利用者との契約で、利用者の利用ランク（ランクによって料金が異なる）を決めておくことによって、利用者の利用可能なコンテンツの差別化を図ることができる。
【００４７】
また、本発明に係る情報送信方法（３）は、全部、又は部分的に暗号化されたコンテンツ情報を放送により情報受信装置へ送信する情報送信方法であって、コンテンツ再生形態の差別化を図るために、前記コンテンツ情報を分割したものにランクを付していることを特徴としている。
【００４８】
上記情報送信方法（３）によれば、全部、又は部分的に暗号化されたコンテンツ情報を前記情報受信装置へ送信するので、前記コンテンツ情報の無料利用を制限することができる。また、前記コンテンツ情報を大容量・高速の送信が可能な放送により行うため、情報の送信に過度に長い時間を要するのを回避することができる。これにより、走行中の車両内でも前記コンテンツ情報をスムースに利用することができる。
【００４９】
また、前記コンテンツ情報を分割したものにランクを付しているため、例えば、前記コンテンツ情報が１０枚の写真画像から構成されている場合、第１枚目の写真画像にはＣランクと付し、第２枚目、第３枚目の写真画像にはＢランク（Ｃランクよりも上位）と付し、第４枚目〜第１０枚目までの写真画像にはＡランク（Ｂランクよりも上位）と付すこととなる。
【００５０】
従って、前記情報受信装置で前記コンテンツ情報を分割したものに付されたランクに基づいた処理を行うことができるように構成されていれば、利用者がＡランクを選択すると、１０枚全ての写真画像を見ることができ、利用者がＢランクを選択すると、第１枚目〜第３枚目までの写真画像を見ることができ、利用者がＣランクを選択すると、第１枚目の写真画像だけを見ることができるといったようにすることができる。
【００５１】
すなわち、利用者はこれら３種の再生形態から好みの再生形態を選択することができる。また、利用者がランクを選択しない場合もあるので利用者には合計４つの選択肢があることになる。
このように、利用者の選択肢を増やすことができるため、利用者の満足度を高めることができる。また、サービスを提供する側についても、選択の幅を設け、料金を細かく設定することができるので、売上の増大を図ることができる。
【００５２】
また、本発明に係る情報送信方法（４）は、上記情報送信方法（２）又は（３）において、前記情報受信装置固有のＩＤコードが付加された情報を放送信号に重畳して送信するステップを有し、前記情報には利用者のランクなどの個別情報を含めていることを特徴としている。
【００５３】
ところで、暗号化された前記コンテンツ情報の視聴等の利用を許可する／許可しないといったことを利用者側（すなわち、情報受信装置）へ伝える方法としては、前記情報受信装置が固有に持つＩＤコードを前記コンテンツ情報に付加する／付加しないといった方法が考えられる。例えば、前記情報受信装置では前記コンテンツ情報に自己が固有に持つＩＤコードが含まれている場合、利用が許可されていると判断することができ、逆に、ＩＤコードが含まれない場合、利用が許可されていないと判断することができる。
【００５４】
上記情報送信方法（４）によれば、前記情報受信装置固有のＩＤコードが付加された情報を放送信号に重畳して送信するため、暗号化された前記コンテンツ情報の視聴等の利用を許可する／許可しないといったことを利用者側へ適切に伝えることができる。
【００５５】
さらに、ＩＤコードが付加された情報には利用者のランクなどの個別情報が含まれているため、各コンテンツ毎に利用者のランクを設定することができる。換言すれば、利用者は前記コンテンツ情報のサービスを提供する事業者と契約するにあたって、コンテンツ毎に細かくランクを設定することができる。
【００５６】
【発明の実施の形態】
以下、本発明に係る情報送信装置、情報受信装置、及び情報送信方法の実施の形態を図面に基づいて説明する。図１は、実施の形態（１）に係る情報送信装置及び情報受信装置を含んで構成される有料放送システムの要部を概略的に示したブロック図である。
【００５７】
図中１は放送局６に設置される情報送信装置を示しており、情報送信装置１は情報処理手段２と、各種コンテンツ情報などを記憶する記憶手段３と、記憶手段３に記憶されているコンテンツ情報などをアンテナ５を介して放送により送信するための送信手段４とを含んで構成されている。
【００５８】
情報送信装置１はコンテンツ情報を提供するサービスを行う事業者７に設置されているコンピュータ（図示せず）と接続されており、事業者７から送信されてくるコンテンツ情報を受信し、受信したコンテンツ情報を記憶手段３へ記憶させておくようになっている。
【００５９】
なお、事業者７から情報送信装置１へ送信されるコンテンツ情報には暗号化されているものがあり、事業者７はその暗号化の復号に必要な復号鍵をインターネット８を介して外部へ提供することができ、例えば、インターネット８及び基地局９を介して、走行中（停止していても良い）の車両１０に復号鍵を送信することができるようになっている。
【００６０】
放送局６（情報送信装置１）から送信された情報は、人工衛星１２を介して車両１０に装備されている情報受信装置１１で受信されるようになっている。情報受信装置１１には携帯電話などの移動体通信装置（図示せず）が接続されるようになっており、その移動体通信装置を使って事業者７から送信されてくる復号鍵を示す情報を取得することができるようになっている。
【００６１】
図２に放送局６から放送により送信される信号のデータ形式の一例を示す。図２に示したように、放送信号にはヘッダ部と、コンテンツデータ（例えば、写真画像データ）と、このコンテンツの再生や選択などに用いるための操作メニューに関する情報や、コンテンツ識別情報、コンテンツ種別情報（ジャンルを示す情報）などが付加された操作等データと、コンテンツの視聴を許可する利用者を特定するためのＩＤコードなどが付加された視聴条件データとが存在する。ＩＤコードは情報受信装置１１が固有に持つものであり、前記視聴条件データに付加されているＩＤコードに、自己固有のＩＤコードが存在する場合、情報受信装置１１でのコンテンツ視聴が許可されていることとなる。
【００６２】
また、前記視聴条件データにはＩＤコードだけでなく、ランク付けされた（ここではＡランク〜Ｃランク）コンテンツデータの再生形態に関する情報が含まれ、さらには各ＩＤコード毎に設定されたランクを示す情報が含まれている。ランク毎の再生形態を下記に示す。但し、ここでのコンテンツはある写真集（全５枚）を構成する写真画像とする。
Ａランク：５枚全ての写真画像の再生を許可する。
Ｂランク：第１枚目、第２枚目までの写真画像の再生を許可する。
Ｃランク：第１枚目の写真画像だけの再生を許可する。
【００６３】
図３は実施の形態（１）に係る情報受信装置１１の要部を概略的に示したブロック図である。情報受信装置１１には情報送信装置１（図１参照）から送信されてくる放送信号を、アンテナ１２を介して受信することのできるチューナ１３を備えており、チューナ１３で受信された信号は復調手段１４で復調され、復調手段１４で復調された信号は抽出手段１５及び書込手段１８へ出力されるようになっている。
【００６４】
抽出手段１５は放送信号から視聴条件データと、操作等データと、コンテンツデータとの分離を行い、視聴条件データ、及び操作等データを抽出するようになっており、抽出手段１５で抽出された視聴条件データ、及び操作等データは制御手段１６へ出力され、コンテンツデータについては復号手段１７へ出力されるようになっている。なお、操作等データについては操作等データメモリ２７に記憶されるようになっている。
【００６５】
書込手段１８は復調手段１４で復調された信号を記憶手段１９へ記憶させるものであり、この記憶手段１９に記憶された放送信号を再生視聴する場合、読取手段２０により記憶手段１９から情報が読み取られ、抽出手段１５へ出力されるようになっている。なお、読取手段２０による記憶手段１９からの情報の読み取りについては、制御手段１６からの指示によって行われる。
【００６６】
復号手段１７は暗号化されたコンテンツを視聴するため、必要に応じて復号鍵を用いてコンテンツデータの復号処理を行い、ＡＶデータデコーダ２１に信号を出力するようになっている。なお、復号鍵については制御手段１６から与えられるようになっている。
【００６７】
ＡＶデータデコーダ２１はコンテンツデータのデコーダ処理を行うようになっており、デコーダ処理された映像信号については、表示手段２２へ出力され、デコーダ処理された音声信号については、アンプ２３を介してスピーカ２４へ出力されるようになっている。
【００６８】
また、表示手段２２は制御手段１６と接続されており、制御手段１６からの制御によって、操作メニューやメッセージなど、利用者の表示インターフェースの役割を果たす文字、図形などをディスプレイ（図示せず）に表示することができるようになっている。例えば、操作等データメモリ２７から読み出したコンテンツ識別情報に基づいて、記憶手段１９に記憶されているコンテンツデータの目次画面がディスプレイが表示されたり、操作等データメモリ２７から読み出した操作メニューに関する情報に基づいて、あるコンテンツの操作メニューがディスプレイに表示される。
【００６９】
ＩＤコードメモリ２５には、情報受信装置１１が固有に持つＩＤコードが記憶され、復号鍵メモリ２６には、情報送信装置１から送信されてくる暗号化されたコンテンツデータを復号化させるための復号鍵を示す情報が記憶されるようになっている。また、操作等データメモリ２７には、情報送信装置１から送信されてくる操作等データが記憶されるようになっている。
【００７０】
また、制御手段１６にはモデム２８が接続されており、モデム２８を通じて携帯電話などの移動体通信装置２９を制御することによって、インターネット８（図１参照）を介して事業者（図１参照）との間で情報のやり取りを行うことができ、例えば、コンテンツデータを復号化させるための復号鍵を示す情報を事業者７から購入したり、コンテンツの利用に関する契約を結ぶことなどができるようになっている。
【００７１】
操作手段３０は、利用者の操作インターフェースを担うもので、利用者のコンテンツ視聴の要求や、コンテンツの選択内容などを制御手段１６へ出力することができるようになっている。
【００７２】
実施の形態（１）に係る情報受信装置１１における制御手段１６の行う処理動作▲１▼を図４に示したフローチャートに基づいて説明する。なお、処理動作▲１▼はディスプレイに表示されているコンテンツデータの目次画面を通じ、利用者により操作手段３０などが操作されることによって、あるコンテンツの視聴が要求された場合に行われる動作である。
【００７３】
利用者によりコンテンツの視聴が要求されると、該当するコンテンツデータが付加されているデータ（視聴条件データ、操作等データ、及びコンテンツデータ）を記憶手段１９から読取手段２０を制御することによって読み出す（ステップＳ１）。
【００７４】
記憶手段１９から読み出されたデータは抽出手段１５へ出力され、そのデータに含まれている視聴条件データは制御手段１６へ出力されるようになっているため、制御手段１６は視聴条件データを取り込むと（ステップＳ２）、次に、ＩＤコードメモリ２５に記憶されているＩＤコードに基づいて、視聴条件データに情報受信装置１１が固有に持つＩＤコードが付加されているか否かを判断する（ステップＳ３）。
【００７５】
視聴条件データに情報受信装置１１が固有に持つＩＤコードが付加されている（すなわち、利用者により要求されたコンテンツの情報受信装置１１での視聴が許可されている）と判断すれば、次に、視聴条件データから情報受信装置１１が固有に持つＩＤコードに設定されているランクを示す情報を検出する（ステップＳ４）。一方、視聴条件データに情報受信装置１１が固有に持つＩＤコードが付加されていないと判断すれば、ディスプレイに「このコンテンツは契約対象外で視聴することはできません」といったメッセージを表示させるように表示手段２２を制御する（ステップＳ５）。
【００７６】
ＩＤコードに設定されているランクを示す情報を検出すると、次に、視聴条件データから検出したランクに対応するコンテンツデータの再生形態に関する情報を検出する（ステップＳ６）。次に、操作等データに基づいて、利用者により要求されたコンテンツの操作メニューをディスプレイに表示させるように表示手段２２を制御する（ステップＳ７）。図５に、操作メニューがディスプレイに表示された場合の一例を示す。
【００７７】
次に、ディスプレイに表示された操作メニューを通じ、利用者により操作手段３０が操作されることによって、あるコンテンツが選択されたか否かを判断し（ステップＳ８）、コンテンツが選択されたと判断すれば、ステップＳ６にて検出したコンテンツデータの再生形態に関する情報に基づいて、選択されたコンテンツの視聴が許可されているか否かを判断する（ステップＳ９）。
【００７８】
視聴が許可されていると判断すれば、復号鍵メモリ２６から復号鍵を示す情報を読み出し（ステップＳ１０）、読み出した復号鍵を示す情報を復号手段１７へ与えると共に、選択されたコンテンツに対応するコンテンツデータを復号させるように復号手段１７を制御する（ステップＳ１１）。
【００７９】
復号手段１７により復号処理されたデータは、ＡＶデータデコーダ２１へ出力されるようになっているため、利用者により選択されたコンテンツはディスプレイに表示されたり、スピーカ２４から音声として出力されることとなる。図６に、コンテンツがディスプレイに表示された場合の一例を示す。
【００８０】
次に、ディスプレイに表示された画面を通じ、利用者により操作手段３０が操作されることによって、操作メニューへ画面を戻すための指示が行われたか否かを判断し（ステップＳ１２）、前記指示が行われたと判断すれば、ステップＳ７へ戻る。一方、前記指示が行われていないと判断すれば、ステップＳ１２へ戻る。
【００８１】
また、ステップＳ９において、利用者により選択されたコンテンツの視聴が許可されていないと判断すれば、ディスプレイに「このコンテンツは契約対象外で視聴することはできません」といったメッセージを表示させるように表示手段２２を制御し（ステップＳ１３）、その後、ステップＳ７へ戻る。
【００８２】
また、ステップＳ８において、コンテンツが選択されていないと判断すれば、次に、利用者により操作手段３０が操作されることによって、コンテンツの視聴を終了するための指示が行われたか否かを判断し（ステップＳ１４）、前記指示が行われたと判断すれば、処理動作▲１▼を終了する。一方、前記指示が行われていないと判断すれば、ステップＳ８へ戻る。
【００８３】
上記実施の形態（１）に係る情報送信装置１及び情報受信装置１１を含んで構成される有料放送システムによれば、暗号化されたコンテンツデータが情報送信装置１から情報受信装置１１へ送信されるので、コンテンツデータの無料利用を制限することができる。また、コンテンツデータは大容量・高速の送信が可能な放送により行われるため、情報の送信に過度に長い時間を要するのを回避することができる。これにより、走行中の車両１０内でもコンテンツデータをスムースに利用することができる。
【００８４】
また、暗号化されたコンテンツデータの異なる２種以上の再生形態に関する情報が、情報送信装置１から放送信号に重畳して送信され、情報受信装置１１ではこれら２種以上の再生形態からの好みの再生形態を選択することができ、利用者の選択肢を増やすことができる。このため、利用者の満足度を高めることができる。また、サービスを提供する側についても、選択の幅を設け、料金を細かく設定することができるので、売上の増大を図ることができる。
【００８５】
次に、実施の形態（２）に係る情報送信装置及び情報受信装置を含んで構成される有料放送システムについて説明する。但し、前記有料放送システムについては、情報送信装置１と、情報送信装置１を構成する情報処理手段２と、情報受信装置１１とを除いて、図１に示した有料放送システムの構成と同様であるため、情報送信装置、情報処理手段、及び情報受信装置には異なる符号を付し、その他の説明をここでは省略する。
【００８６】
また、情報受信装置についても、情報受信装置１１と、情報受信装置１１を構成する制御手段１６とを除いて、図３に示した情報受信装置の構成と同様であるため、情報受信装置、及び制御手段には異なる符号を付し、その他の説明をここでは省略する。
【００８７】
図７に放送局６（情報送信装置１Ａ）から放送により送信される信号のデータ形式の一例を示す。図７に示したように、放送信号にはヘッダ部と、コンテンツデータ（例えば、写真画像データ）と、このコンテンツの再生や選択などに用いるための操作メニューに関する情報や、コンテンツ識別情報、コンテンツ種別情報（ジャンルを示す情報）などが付加された操作等データと、コンテンツの視聴を許可する利用者を特定するためのＩＤコードなどが付加された視聴条件データとが存在する。ＩＤコードは情報受信装置１１Ａが固有に持つものであり、前記視聴条件データに付加されているＩＤコードに、自己固有のＩＤコードが存在する場合、情報受信装置１１Ａでのコンテンツ視聴が許可されていることとなる。
【００８８】
また、前記視聴条件データにはＩＤコードだけでなく、各コンテンツデータ毎に設定されたランクを示す情報が含まれている。コンテンツ毎に設定されているランクを下記に示す。但し、ここでのコンテンツはある写真集（全５枚）を構成する写真画像とする。
コンテンツ１（第１枚目の写真画像）：Ｃランク
コンテンツ２（第２枚目の写真画像）：Ｂランク
コンテンツ３（第３枚目の写真画像）：Ａランク
コンテンツ４（第４枚目の写真画像）：Ａランク
コンテンツ５（第５枚目の写真画像）：Ａランク
【００８９】
実施の形態（２）に係る情報受信装置１１Ａにおける制御手段１６Ａの行う処理動作▲２▼を図８に示したフローチャートに基づいて説明する。なお、処理動作▲２▼はディスプレイに表示されているコンテンツデータの目次画面を通じ、利用者により操作手段３０などが操作されることによって、あるコンテンツの視聴が要求された場合に行われる動作である。
【００９０】
利用者によりコンテンツの視聴が要求されると、該当するコンテンツデータが付加されているデータ（視聴条件データ、操作等データ、及びコンテンツデータ）を記憶手段１９から読取手段２０を制御することによって読み出す（ステップＳ２１）。
【００９１】
記憶手段１９から読み出されたデータは抽出手段１５へ出力され、そのデータに含まれている視聴条件データは制御手段１６へ出力されるようになっているため、制御手段１６は視聴条件データを取り込むと（ステップＳ２２）、次に、ＩＤコードメモリ２５に記憶されているＩＤコードに基づいて、視聴条件データに情報受信装置１１Ａが固有に持つＩＤコードが付加されているか否かを判断する（ステップＳ２３）。
【００９２】
視聴条件データに情報受信装置１１Ａが固有に持つＩＤコードが付加されている（すなわち、利用者により要求されたコンテンツの情報受信装置１１Ａでの視聴が許可されている）と判断すれば、次に、視聴条件データから情報受信装置１１Ａが固有に持つＩＤコードに設定されているランクを示す情報を検出する（ステップＳ２４）。一方、視聴条件データに情報受信装置１１Ａが固有に持つＩＤコードが付加されていないと判断すれば、ディスプレイに「このコンテンツは契約対象外で視聴することはできません」といったメッセージを表示させるように表示手段２２を制御する（ステップＳ２５）。
【００９３】
ＩＤコードに設定されているランクを示す情報を検出すると、次に、操作等データに基づいて、利用者により要求されたコンテンツの操作メニューをディスプレイに表示させるように表示手段２２を制御する（ステップＳ２６）。操作メニューがディスプレイに表示された場合の一例については図５を参照。
【００９４】
次に、ディスプレイに表示された操作メニューを通じ、利用者により操作手段３０が操作されることによって、あるコンテンツが選択されたか否かを判断し（ステップＳ２７）、コンテンツが選択されたと判断すれば、視聴条件データから選択されたコンテンツに設定されているランクを示す情報を検出し（ステップＳ２８）、次に、ステップＳ２４で検出した情報受信装置１１Ａが固有に持つＩＤコードに設定されているランクを示す情報と、ステップＳ２８で検出したコンテンツに設定されているランクを示す情報とに基づいて、選択されたコンテンツの視聴が許可されているか否かを判断する（ステップＳ２９）。なお、ここでは情報受信装置１１ＡがＢランクで、コンテンツのランクがＢランク、又はＣランクである場合、コンテンツの視聴は許可されるが、コンテンツのランクがＡランクである場合には、コンテンツの視聴は許可されないようになっている。
【００９５】
コンテンツの視聴が許可されていると判断すれば、復号鍵メモリ２６から復号鍵を示す情報を読み出し（ステップＳ３０）、読み出した復号鍵を示す情報を復号手段１７へ与えると共に、選択されたコンテンツに対応するコンテンツデータを復号させるように復号手段１７を制御する（ステップＳ３１）。
【００９６】
復号手段１７により復号処理されたデータは、ＡＶデータデコーダ２１へ出力されるようになっているため、利用者により選択されたコンテンツはディスプレイに表示されたり、スピーカ２４から音声として出力されることとなる。コンテンツがディスプレイに表示された場合の一例については図６を参照。
【００９７】
次に、ディスプレイに表示された画面を通じ、利用者により操作手段３０が操作されることによって、操作メニューへ画面を戻すための指示が行われたか否かを判断し（ステップＳ３２）、前記指示が行われたと判断すれば、ステップＳ２６へ戻る。一方、前記指示が行われていないと判断すれば、ステップＳ３２へ戻る。
【００９８】
また、ステップＳ２９において、利用者により選択されたコンテンツの視聴が許可されていないと判断すれば、ディスプレイに「このコンテンツは契約対象外で視聴することはできません」といったメッセージを表示させるように表示手段２２を制御し（ステップＳ３３）、その後、ステップＳ２６へ戻る。
【００９９】
また、ステップＳ２７において、コンテンツが選択されていないと判断すれば、次に、利用者により操作手段３０が操作されることによって、コンテンツの視聴を終了するための指示が行われたか否かを判断し（ステップＳ３４）、前記指示が行われたと判断すれば、処理動作▲２▼を終了する。一方、前記指示が行われていないと判断すれば、ステップＳ２７へ戻る。
【０１００】
上記実施の形態（２）に係る情報送信装置１Ａ及び情報受信装置１１Ａを含んで構成される有料放送システムによれば、暗号化されたコンテンツデータが情報送信装置１Ａから情報受信装置１１Ａへ送信されるので、コンテンツデータの無料利用を制限することができる。また、コンテンツデータは大容量・高速の送信が可能な放送により行われるため、情報の送信に過度に長い時間を要するのを回避することができる。これにより、走行中の車両１０内でもコンテンツデータをスムースに利用することができる。
【０１０１】
また、情報送信装置１Ａから送信される暗号化されたコンテンツデータについて、分割した単位毎にランクが付され、情報受信装置１１Ａでは分割した単位毎に付されたランク、及び利用者のランクに基づいて、暗号化されたコンテンツデータの再生を行うことができる。
【０１０２】
すなわち、利用者のランクに基づいて、暗号化されたコンテンツ情報を利用者それぞれの所望する形態で再生することができるため、利用者の満足度を高めることができる。また、サービスを提供する側についても、選択の幅を設け、料金を細かく設定することができるので、売上の増大を図ることができる。
【０１０３】
次に、実施の形態（３）に係る情報送信装置及び情報受信装置を含んで構成される有料放送システムについて説明する。但し、前記有料放送システムについては、情報送信装置１と、情報送信装置１を構成する情報処理手段２と、情報受信装置１１とを除いて、図１に示した有料放送システムの構成と同様であるため、情報送信装置、情報処理手段、及び情報受信装置には異なる符号を付し、その他の説明をここでは省略する。
【０１０４】
また、情報受信装置についても、情報受信装置１１と、情報受信装置１１を構成する制御手段１６及び復号鍵メモリ２６とを除いて、図３に示した情報受信装置の構成と同様であるため、情報受信装置、制御手段、及び復号鍵メモリには異なる符号を付し、その他の説明をここでは省略する。
【０１０５】
図９に放送局６（情報送信装置１Ｂ）から放送により送信される信号のデータ形式の一例を示す。図９に示したように、放送信号にはヘッダ部と、コンテンツデータ（例えば、写真画像データ）と、このコンテンツの再生や選択などに用いるための操作メニューに関する情報や、コンテンツ識別情報、コンテンツ種別情報（ジャンルを示す情報）などが付加された操作等データと、コンテンツの視聴を許可する利用者を特定するためのＩＤコードなどが付加された視聴条件データとが存在する。ＩＤコードは情報受信装置１１Ｂが固有に持つものであり、前記視聴条件データに付加されているＩＤコードに、自己固有のＩＤコードが存在する場合、情報受信装置１１Ｂでのコンテンツ視聴が許可されていることとなる。
【０１０６】
復号鍵メモリ２６Ｂには、情報送信装置１Ｂから送信されてくる暗号化されたコンテンツデータを復号化させるための復号鍵を示す情報が記憶されると共に、さらに復号鍵に対応づけて、復号鍵の使用制限回数を示す情報が記憶されるようになっている。
【０１０７】
なお、復号鍵の使用制限回数については、利用者と事業者７との契約によって決められるものであり、使用制限回数は復号鍵の購入料金によって差別化が図られ、例えば、１，０００円で購入した場合は使用回数無制限であり、５００円で購入した場合は使用制限回数が５回で、３００円で購入した場合は使用制限回数が２回で、２００円で購入した場合は使用制限回数が１回となるように設定される。
【０１０８】
実施の形態（３）に係る情報受信装置１１Ｂにおける制御手段１６Ｂの行う処理動作▲３▼を図１０に示したフローチャートに基づいて説明する。なお、処理動作▲３▼はディスプレイに表示されているコンテンツデータの目次画面を通じ、利用者により操作手段３０などが操作されることによって、あるコンテンツの視聴が要求された場合に行われる動作である。
【０１０９】
利用者によりコンテンツの視聴が要求されると、該当するコンテンツデータが付加されているデータ（視聴条件データ、操作等データ、及びコンテンツデータ）を記憶手段１９から読取手段２０を制御することによって読み出す（ステップＳ４１）。
【０１１０】
記憶手段１９から読み出されたデータは抽出手段１５へ出力され、そのデータに含まれている視聴条件データは制御手段１６へ出力されるようになっているため、制御手段１６Ｂは視聴条件データを取り込むと（ステップＳ４２）、次に、ＩＤコードメモリ２５に記憶されているＩＤコードに基づいて、視聴条件データに情報受信装置１１Ｂが固有に持つＩＤコードが付加されているか否かを判断する（ステップＳ４３）。
【０１１１】
視聴条件データに情報受信装置１１Ｂが固有に持つＩＤコードが付加されている（すなわち、利用者により要求されたコンテンツの情報受信装置１１Ｂでの視聴が許可されている）と判断すれば、次に、操作等データに基づいて、利用者により要求されたコンテンツの操作メニューをディスプレイに表示させるように表示手段２２を制御する（ステップＳ４４）。操作メニューがディスプレイに表示された場合の一例について図５を参照。一方、視聴条件データに情報受信装置１１Ｂが固有に持つＩＤコードが付加されていないと判断すれば、ディスプレイに「このコンテンツは契約対象外で視聴することはできません」といったメッセージを表示させるように表示手段２２を制御する（ステップＳ４５）。
【０１１２】
次に、ディスプレイに表示された操作メニューを通じ、利用者により操作手段３０が操作されることによって、あるコンテンツが選択されたか否かを判断し（ステップＳ４６）、コンテンツが選択されたと判断すれば、復号鍵メモリ２６Ｂから復号鍵の使用制限回数ｃ’を示す情報を読み出す（ステップＳ４７）。
【０１１３】
次に、カウンタｃ（初期設定時は０）に１を加算し（ステップＳ４８）、カウンタｃが使用制限回数ｃ’を超えているか否かを判断する（ステップＳ４９）。カウンタｃが使用制限回数ｃ’を超えていないと判断すれば、復号鍵メモリ２６Ｂから復号鍵を示す情報を読み出し（ステップＳ５０）、読み出した復号鍵を示す情報を復号手段１７へ与えると共に、選択されたコンテンツに対応するコンテンツデータを復号させるように復号手段１７を制御する（ステップＳ５１）。
【０１１４】
復号手段１７により復号処理されたデータは、ＡＶデータデコーダ２１へ出力されるようになっているため、利用者により選択されたコンテンツはディスプレイに表示されたり、スピーカ２４から音声として出力されることとなる。コンテンツがディスプレイに表示された場合の一例については図６を参照。
【０１１５】
次に、ディスプレイに表示された画面を通じ、利用者により操作手段３０が操作されることによって、操作メニューへ画面を戻すための指示が行われたか否かを判断し（ステップＳ５２）、前記指示が行われたと判断すれば、ステップＳ４４へ戻る。一方、前記指示が行われていないと判断すれば、ステップＳ５２へ戻る。
【０１１６】
他方、ステップＳ４９において、カウンタｃが使用制限回数ｃ’を超えていると判断すれば、復号鍵メモリ２６Ｂに記憶されている復号鍵を示す情報を削除し（ステップＳ５３）、その後、ディスプレイに「コンテンツの使用回数は終了しました」といったメッセージを表示させるように表示手段２２を制御する（ステップＳ５４）。
【０１１７】
なお、ここでは復号鍵を示す情報を削除することによって、復号鍵を使用できないようにしているが、別の実施の形態では、削除ではなく別のものに変更するようにしても良い。また、ここでは復号鍵を使用できなくしているが、別の実施の形態では、復号化に用いられる復号プログラムなどを使用できなくなるようにしても良い。
【０１１８】
ステップＳ４６において、コンテンツが選択されていないと判断すれば、次に、利用者により操作手段３０が操作されることによって、コンテンツの視聴を終了するための指示が行われたか否かを判断し（ステップＳ５５）、前記指示が行われたと判断すれば、処理動作▲３▼を終了する。一方、前記指示が行われていないと判断すれば、ステップＳ４６へ戻る。
【０１１９】
上記実施の形態（３）に係る情報送信装置１Ｂ及び情報受信装置１１Ｂを含んで構成される有料放送システムによれば、コンテンツ情報の再生回数ｃが所定の回数ｃ’を超えたと判定されると、復号化に必要となる復号鍵を示す情報が使用不可とされる。これにより、前記コンテンツ情報の利用の制限を行うことができる。
【０１２０】
また、コンテンツ情報の再生限度が利用者全員に対し、一律に設定されるのではなく、利用者毎に設定されるため、利用者個々の差別化を図ることができる。例えば、利用料金１０００円で契約した利用者には１０回の視聴を許可し、利用料金５００円で契約した利用者には２回の視聴を許可し、利用料金３００円で契約した利用者には１回の視聴を許可するといった差別化を図ることができる。これにより、利用者の利用満足度を高めることができる。
【０１２１】
上記実施の形態（１）〜（３）に係る情報送信装置１、１Ａ、１Ｂでは、複数チャンネルを重畳化して放送する場合について説明していないが、複数チャンネルを重畳化する場合にも、図１１に示したようなデータ形式をとることによって上記同様に放送することができる。
【０１２２】
また、上記実施の形態（１）〜（３）に係る情報送信装置１、１Ａ、１Ｂでは、視聴条件データ及び操作等データとコンテンツデータとは同じチャンネル内に載せられているが（図２、図７、図９参照）、別の実施の形態に係る情報送信装置では、視聴条件データ及び操作等データと、コンテンツデータとを載せるチャンネルを分けるようにし、図１２に示したように、視聴条件データ及び操作等データだけを載せるチャンネルを設けるようにしても良い。
【０１２３】
また、上記実施の形態（１）〜（３）に係る情報受信装置１１、１１Ａ、１１Ｂでは、情報送信装置１、１Ａ、１Ｂから送信され、復調手段１４で復調された信号をそのまま記憶手段１９へ記憶させるようになっているが、記憶手段１９の記憶容量には限りがあるため、別の実施の形態に係る情報受信装置では、操作等データに含まれるコンテンツ種別情報（ジャンルを示す情報）に基づいて、利用者の所望するジャンルのコンテンツ情報を優先して記憶させるようにしても良い。
【０１２４】
また、別の実施の形態に係る情報処理装置では、ＩＤコードメモリ２５に使用者毎に設定されたＩＤコードを複数登録することができるようにし、何らかの使用者を識別する方式（例えば、パスワード認証方式）を用いて個人を特定し、特定された個人に応じたＩＤコードの認証（例えば、ステップＳ３、Ｓ２３、Ｓ４３における処理）を行って、コンテンツの視聴が許可されていると判断すれば、復号鍵メモリ２６、２６Ｂから復号鍵を読み出し、読み出した情報を復号手段１７へ与えるようにしても良い。これにより、情報処理装置１１、１１Ａ、１１Ｂ一つで、複数の使用者が個別の形態（例えば、契約条件）でコンテンツ情報を利用することができる。
さらに、別の実施の形態に係る情報処理装置では、ＩＤコードや復号鍵を示す情報が記憶された記憶媒体（例えば、メモリカード）などを装置本体に挿脱可能な構成とするようにしても良く、この場合にも上記と同様の効果が得られる。
【図面の簡単な説明】
【図１】本発明の実施の形態（１）に係る情報送信装置及び情報受信装置を含んで構成される有料放送システムの要部を概略的に示したブロック図である。
【図２】実施の形態（１）に係る情報送信装置から放送により送信される信号のデータ形式の一例を示した図である。
【図３】実施の形態（１）に係る情報受信装置の要部を概略的に示したブロック図である。
【図４】実施の形態（１）に係る情報受信装置における制御手段の行う処理動作を示したフローチャートである。
【図５】操作メニューがディスプレイに表示された場合の一例を示した図である。
【図６】コンテンツがディスプレイに表示された場合の一例を示した図である。
【図７】実施の形態（２）に係る情報送信装置から放送により送信される信号のデータ形式の一例を示した図である。
【図８】実施の形態（２）に係る情報受信装置における制御手段の行う処理動作を示したフローチャートである。
【図９】実施の形態（３）に係る情報送信装置から放送により送信される信号のデータ形式の一例を示した図である。
【図１０】実施の形態（３）に係る情報受信装置における制御手段の行う処理動作を示したフローチャートである。
【図１１】別の実施の形態に係る情報送信装置から放送により送信される信号のデータ形式の一例を示した図である。
【図１２】さらに別の実施の形態に係る情報送信装置から放送により送信される信号のデータ形式の一例を示した図である。
【符号の説明】
１、１Ａ、１Ｂ  情報送信装置
２、２Ａ、２Ｂ  情報処理手段
６  放送局
１１、１１Ａ、１１Ｂ  情報受信装置
１５  抽出手段
１６、１６Ａ、１６Ｂ  制御手段
１７  復号手段
１９  記憶手段
２５  ＩＤコードメモリ
２６、２６Ｂ  復号鍵メモリ
【図１】
2004194140.tif 000003
【図２】
2004194140.tif 000004
【図３】
2004194140.tif 000005
【図４】
2004194140.tif 000006
【図５】
2004194140.tif 000007
【図６】
2004194140.tif 000008
【図７】
2004194140.tif 000009
【図８】
2004194140.tif 000010
【図９】
2004194140.tif 000011
【図１０】
2004194140.tif 000012
【図１１】
2004194140.tif 000013
【図１２】
2004194140.tif 000014